(57)【特許請求の範囲】
【請求項１】
車両の状態を検知するセンサの状態をモニタし、当該センサによって異常が検知されたときは、警報を発生する警報発生手段に対して警報発生指示信号を出力し、かつ、動作中、周期的にパルス信号を出力するＣＰＵと、
履歴情報を記憶するＲＡＭと、
電源投入時と第１の期間前記ＣＰＵからパルス信号が出力されないときとにリセット信号を出力するリセット手段と、
電源投入時から第２の期間が経過した後に活性化する判別信号を出力する判別手段とを備え、
前記ＣＰＵは、
前記リセット手段からのリセット信号に応答して前記ＲＡＭの内容を初期化するものであり、かつ、前記判別手段からの判別信号が不活性のときは前記ＲＡＭの内容を前記履歴情報を含めて初期化する一方、前記判別手段からの判別信号が活性のときは前記ＲＡＭに記憶された履歴情報以外の内容を初期化し、
第３の期間前記センサによって異常が検知されないときは動作を停止し、前記リセット手段からのリセット信号に応答して動作を開始する
ことを特徴とする盗難警報装置。
【請求項２】
請求項１に記載の盗難警報装置において、
前記履歴情報は、前記センサの状態の履歴を示すものである
ことを特徴とする盗難警報装置。
【請求項３】
請求項１に記載の盗難警報装置において、
前記履歴情報は、前記警報発生手段が発生した警報の履歴を示すものである
ことを特徴とする盗難警報装置。
【請求項４】
請求項１に記載の盗難警報装置において、
前記判別手段は、
電源電圧を受ける電源ノードと第１のノードとの間に接続された抵抗と、
前記第１のノードと接地ノードとの間に接続されたキャパシタとを含み、
前記第１のノードの電圧を前記判別信号として出力する
ことを特徴とする盗難警報装置。
【請求項５】
車両の状態を検知するセンサと、
警報を発生する警報発生手段と、
前記センサの状態をモニタし、前記センサによって異常が検知されたときは前記警報発生手段に対して警報発生指示信号を出力し、かつ、動作中、周期的にパルス信号を出力するＣＰＵと、
履歴情報を記憶するＲＡＭと、
電源投入時と第１の期間前記ＣＰＵからパルス信号が出力されないときとにリセット信号を出力するリセット手段と、
電源投入時から第２の期間が経過した後に活性化する判別信号を出力する判別手段とを備え、
前記ＣＰＵは、
前記リセット手段からのリセット信号に応答して前記ＲＡＭの内容を初期化するものであり、かつ、前記判別手段からの判別信号が不活性のときは前記ＲＡＭの内容を前記履歴情報を含めて初期化する一方、前記判別手段からの判別信号が活性のときは前記ＲＡＭに記憶された履歴情報以外の内容を初期化する
ことを特徴とする盗難警報システム。
【発明の詳細な説明】
【０００１】
【発明の属する技術分野】
この発明は、盗難警報装置および盗難警報システムに関する。
【０００２】
【従来の技術】
自動車内への侵入者を検知する盗難警報システムでは、センサからの信号に基づいて侵入者の有無を判断し、侵入者を検知したときには警報を発生する。また、盗難警報システムでは、センサの状態の履歴や警報の履歴をＲＡＭに記憶している。これにより、侵入者の有無の判断の精度およびシステムの商品価値を高めている。
【０００３】
例えば、車両を叩いたり破壊したりする際の音をセンサで検知して侵入者の有無を判断する盗難警報システムでは、ＲＡＭに記憶されたセンサの反応の履歴を参照することにより、短時間に何回もセンサが反応しているような場合には、この反応は侵入者によるものではなく、近くを通る電車などによるものであるというような判断が可能となる。このようにして、侵入者の有無の判断の精度を高めている。
【０００４】
また、システムの利用者にとっては、警報が発生したという事実だけでなく、いつ警報が発生したのかを知ることができれば便利である。これに対しては、ＲＡＭに記憶された警報の発生の履歴を出力することによって利用者のニーズに応え、システムの商品価値を高めている。
【０００５】
【発明が解決しようとする課題】
ところで、ウォッチドッグ・タイマからのリセット信号に応答してＣＰＵを間欠的に動作させることによって消費電力を低減する盗難警報装置がある（特願２０００−１９７５２２参照）。この盗難警報装置では、ＣＰＵは所定期間ごとにリセット信号を受ける。通常、ＣＰＵは、リセット信号を受けるとＲＡＭに記憶されている内容をすべて初期化する。したがって、この盗難警報装置では、ＲＡＭに記憶されたセンサの状態の履歴や警報の履歴が消去されてしまうため、上述したような精度の高い判断や商品価値を高めることができなくなる。
【０００６】
この発明は、以上のような問題を解決するためになされたものであり、その目的は、異常の検知の精度を高めることができる盗難警報装置を提供することである。
【０００７】
この発明のもう１つの目的は、商品価値を高めることができる盗難警報装置を提供することである。
【０００８】
【課題を解決するための手段】
この発明の１つの局面に従うと、盗難警報装置は、ＣＰＵと、ＲＡＭと、リセット手段と、判別手段とを備える。ＣＰＵは、車両の状態を検知するセンサの状態をモニタし、当該センサによって異常が検知されたときは、警報を発生する警報発生手段に対して警報発生指示信号を出力し、かつ、動作中、周期的にパルス信号を出力する。ＲＡＭは、履歴情報を記憶する。リセット手段は、電源投入時と第１の期間ＣＰＵからパルス信号が出力されないときとにリセット信号を出力する。判別手段は、電源投入時から第２の期間が経過した後に活性化する判別信号を出力する。さらに、上記ＣＰＵは、リセット手段からのリセット信号に応答してＲＡＭの内容を初期化するものであり、かつ、判別手段からの判別信号が不活性のときはＲＡＭの内容を履歴情報を含めて初期化する一方、判別手段からの判別信号が活性のときはＲＡＭに記憶された履歴情報以外の内容を初期化する。
【０００９】
上記盗難警報装置では、電源投入時と第１の期間ＣＰＵからパルス信号が出力されないときとにリセット手段からリセット信号が出力される。
【００１０】
電源投入時にはＲＡＭの内容が不定になるため、必ず初期化する必要がある。上記盗難警報装置では、電源投入時から第２の期間が経過するまでの間、判別手段からの判別信号は不活性である。したがって、ＣＰＵは、電源投入時のリセット信号に応答して、ＲＡＭの内容を履歴情報を含めてすべて初期化する。
【００１１】
一方、第１の期間ＣＰＵからパルス信号が出力されないときは、ＣＰＵが暴走していると判断される。この場合、ＲＡＭのすべての内容を初期化する必要はなく、暴走の原因となった可能性のある内容、例えば、プログラムの流れに関する内容だけを初期化すれば足りる。上記盗難警報装置では、第１の期間ＣＰＵからパルス信号が出力されないときには、判別手段からの判別信号は活性となっている。したがって、ＣＰＵは、ＲＡＭに記憶された履歴情報以外の内容を初期化する。すなわち、ＲＡＭに記憶された履歴情報は保持される。これにより、ＲＡＭに記憶された履歴情報を利用してその後の処理を行うことができる。
【００１２】
好ましくは、上記ＣＰＵはさらに、第３の期間センサによって異常が検知されないときは動作を停止し、リセット手段からのリセット信号に応答して動作を開始する。
【００１３】
上記盗難警報装置では、ＣＰＵは、リセット手段からのリセット信号に応答して動作を開始し、センサの状態をモニタする。そして、第３の期間センサによって異常が検知されないとき、ＣＰＵは動作を停止する。ＣＰＵが動作を停止すると、パルス信号の出力も停止する。第１の期間ＣＰＵからパルス信号が出力されないと、リセット手段はリセット信号を出力する。このリセット信号に応答して、ＣＰＵは再び動作を開始する。このように、上記盗難警報装置によれば、第１の期間ＣＰＵは動作を停止するため、消費電力を低減することができる。
【００１４】
好ましくは、上記履歴情報は、センサの状態の履歴を示すものである。
【００１５】
上記盗難警報装置では、センサの状態の履歴が保持される。したがって、このセンサの状態の履歴を利用して異常の検知（例えば、侵入者の有無の判断など）を行うことができる。これにより、異常の検知の精度を高めることができる。
【００１６】
好ましくは、上記履歴情報は、警報発生手段が発生した警報の履歴を示すものである。
【００１７】
上記盗難警報装置では、警報発生手段が発生した警報の履歴が保持される。したがって、いつ警報が発生したか、何回警報が発生したか、などの情報を利用者に知らせることができる。これにより、盗難警報装置の商品価値を高めることができる
好ましくは、上記判別手段は、抵抗と、キャパシタとを含む。抵抗は、電源電圧を受ける電源ノードと第１のノードとの間に接続される。キャパシタは、第１のノードと接地ノードとの間に接続される。そして、上記判別手段は、第１のノードの電圧を判別信号として出力する。
【００１８】
上記盗難警報装置では、電源投入時にはキャパシタに電荷が蓄積されていないため、第１のノードは接地電圧レベル（論理ローレベル）である。電源投入時後、キャパシタに電荷が蓄積されるにつれて第１のノードの電位も上昇する。そして、電源投入時から第２の期間が経過すると、第１のノードは電源電圧レベル（論理ハイレベル）に到達する。これ以降、第１のノードは論理ハイレベルに維持される。これにより、判別手段から出力される判別信号は、電源投入時から第２の期間が経過するまでは論理ローレベルとなり、電源投入時から第２の期間が経過した後は論理ハイレベルとなる。
【００１９】
この発明のもう１つの局面に従うと、盗難警報システムは、センサと、警報発生手段と、ＣＰＵと、ＲＡＭと、リセット手段と、判別手段とを備える。センサは、車両の状態を検知する。警報発生手段は、警報を発生する。ＣＰＵは、センサの状態をモニタし、センサによって異常が検知されたときは警報発生手段に対して警報発生指示信号を出力し、かつ、動作中、周期的にパルス信号を出力する。ＲＡＭは、履歴情報を記憶する。リセット手段は、電源投入時と第１の期間ＣＰＵからパルス信号が出力されないときとにリセット信号を出力する。判別手段は、電源投入時から第２の期間が経過した後に活性化する判別信号を出力する。ＣＰＵは、リセット手段からのリセット信号に応答してＲＡＭの内容を初期化するものであり、かつ、判別手段からの判別信号が不活性のときはＲＡＭの内容を履歴情報を含めて初期化する一方、判別手段からの判別信号が活性のときはＲＡＭに記憶された履歴情報以外の内容を初期化する。
【００２０】
上記盗難警報システムでは、電源投入時と第１の期間ＣＰＵからパルス信号が出力されないときとにリセット手段からリセット信号が出力される。
【００２１】
電源投入時にはＲＡＭの内容が不定になるため、必ず初期化する必要がある。上記盗難警報システムでは、電源投入時から第２の期間が経過するまでの間、判別手段からの判別信号は不活性である。したがって、ＣＰＵは、電源投入時のリセット信号に応答して、ＲＡＭの内容を履歴情報を含めてすべて初期化する。
【００２２】
一方、第１の期間ＣＰＵからパルス信号が出力されないときは、ＣＰＵが暴走していると判断される。この場合、ＲＡＭのすべての内容を初期化する必要はなく、暴走の原因となった可能性のある内容、例えば、プログラムの流れに関する内容だけを初期化すれば足りる。上記盗難警報システムでは、第１の期間ＣＰＵからパルス信号が出力されないときには、判別手段からの判別信号は活性となっている。したがって、ＣＰＵは、ＲＡＭに記憶された履歴情報以外の内容を初期化する。すなわち、ＲＡＭに記憶された履歴情報は保持される。これにより、ＲＡＭに記憶された履歴情報を利用してその後の処理を行うことができる。
【００２３】
【発明の実施の形態】
以下、この発明の実施の形態を図面を参照して詳しく説明する。なお、図中同一または相当部分には同一符号を付し、その説明は繰り返さない。
【００２４】
図１は、この発明の実施の形態による車両用盗難警報システムの全体構成を示すブロック図である。図１を参照して、車両用盗難警報システムは、コントロールユニット１００と、センサ２００と、警報発生装置３００とを備える。
【００２５】
センサ２００は、車両の状態を検知する。センサ２００としては、例えば、車両のドアの開閉状態を検知するセンサ、車室内の空気の振動の変化を検知する超音波センサ、車室内の温度の変化を検知する赤外線センサ、車両を叩いたり破壊したりする際の音を検知するセンサ、車両の振動を検知するセンサ、車両の傾きを検知するセンサ、などがある。そして、センサ２００は、車室内への侵入者、車両の破壊、持ち去りなどの異常を検知すると、異常検知信号ＤＴを出力する。
【００２６】
コントロールユニット１００は、ワンチップマイコン１１０と、リセット信号発生回路１２０とを含む。
【００２７】
ワンチップマイコン１１０は、制御信号発生回路１１１と、発振回路１１２と、ＣＰＵ１１３と、ＲＯＭ１１４と、ＲＡＭ１１５と、判別信号発生回路１１６とを含む。
【００２８】
制御信号発生回路１１１は、センサ２００からの異常検知信号ＤＴおよびリセット信号発生回路１２０からのリセット信号／ＲＳＴに応答して制御信号ＣＴ１をＬレベル（論理ローレベル）からＨレベル（論理ハイレベル）に切り替える一方、ＣＰＵ１１３からの停止信号ＳＴＰに応答して制御信号ＣＴ１をＨレベルからＬレベルに切り替える。
【００２９】
発振回路１１２は、制御信号発生回路１１１からの制御信号ＣＴ１に応答してクロック信号ＣＬＫを発生する。
【００３０】
判別信号発生回路１１６は、抵抗Ｒ１と、キャパシタＣ１とを含む。抵抗Ｒ１は、電源電圧を受ける電源ノードＶＤＤとノードＮ１との間に接続される。キャパシタＣ１は、ノードＮ１と接地ノードＧＮＤとの間に接続される。そして、ノードＮ１の電圧が判別信号ＪＳとして出力される。
【００３１】
この判別信号発生回路１１６では、電源投入時にはキャパシタＣ１に電荷が蓄積されていないため、ノードＮ１は接地電圧レベル（論理ローレベル）である。電源投入時後、キャパシタＣ１に電荷が蓄積されるにつれてノードＮ１の電圧レベルも上昇する。そして、電源投入時から所定期間が経過すると、ノードＮ１の電圧レベルが電源電圧レベル（論理ハイレベル）に到達する。これ以降、ノードＮ１の電圧レベルは論理ハイレベルに維持される。これにより、判別信号ＪＳは、電源投入時から所定の期間が経過するまでは論理ローレベルとなり、電源投入時から第２の期間が経過した後は論理ハイレベルとなる。
【００３２】
ＣＰＵ１１３は、判別信号発生回路１１６からの判別信号ＪＳをポートＡに受ける。また、ＣＰＵ１１３は、リセット信号発生回路１２０からのリセット信号／ＲＳＴに応答してＲＡＭ１１５の内容を初期化した後、ＲＯＭ１１４に格納されたプログラムに従ってセンサ２００の状態をモニタする処理を行うとともに、周期的にクリアパルス信号ＣＬＰを出力する処理を行う。また、ＣＰＵ１１３は、センサ２００からの異常検知信号ＤＴに応答して警報発生指示信号ＣＴ２を警報発生装置３００に出力するなどの警報発生処理を行う。
【００３３】
ＲＯＭ１１４にはプログラムが格納される。ＲＡＭ１１５には、センサ２００の状態の履歴を示す情報、警報発生装置３００が発生した警報の履歴を示す情報などが格納される。
【００３４】
リセット信号発生回路１２０は、ワンチップマイコン１１０からのクリアパルス信号ＣＬＰを受け、所定期間クリアパルス信号ＣＬＰを受けないときリセット信号／ＲＳＴをワンチップマイコン１１０に出力する。リセット信号発生回路１２０はまた、この盗難警報システムに対して電源が投入された時にもリセット信号／ＲＳＴをワンチップマイコン１１０に出力する。
【００３５】
警報発生装置３００は、ワンチップマイコン１１０からの警報発生指示信号ＣＴ２に応答して警報を発生する。警報発生装置３００としては、警報発生指示信号ＣＴ２に応答してクラクションを鳴らすもの、ライトを点灯させるものなどがある。なお、警報発生装置３００を、軽微な警報を発する予備警報装置と、比較的大きな警報を発する本警報装置との２段階とし、先ず予備警報装置へ警報発生指示信号ＣＴ２を与えるようにしてもよい。
【００３６】
図２は、図１に示したＲＡＭ１１５のアドレスマップである。図２を参照して、００００番地〜０１００番地は、履歴情報を格納する領域である。履歴情報には、センサ２００の状態の履歴を示す情報、警報発生装置３００が発生した警報の履歴を示す情報がある。センサ２００の状態を示す情報としては、センサ２００によって過去に検出されたデータ、センサ２００から過去に出力された異常検知信号ＤＴの情報などが挙げられる。警報発生装置３００が発生した警報の履歴を示す情報としては、警報を発生した時刻、現在から何時間前に警報を発生したか、何回警報を発生したかなどの情報が挙げられる。一方、０１００番地〜ＥＮＤ番地は、その他の情報を格納する領域である。
【００３７】
次に、以上のように構成された車両用盗難警報システムの動作について説明する。図３は、図１に示した車両用盗難警報システムの動作を説明するためのタイミングチャートである。以下、図３を参照しつつ説明する。なお、ここでは、（１）電源投入時、（２）正常時、（３）異常が発生したとき、とに分けて説明する。
【００３８】
（１）電源投入時
時刻ｔ１において電源が投入されると、リセット信号発生回路１２０は時刻ｔ１〜ｔ２の期間Ｌレベルとなるリセット信号／ＲＳＴを出力する。
【００３９】
時刻ｔ２におけるリセット信号／ＲＳＴの立ち上がりに応答して、制御信号発生回路１１１は制御信号ＣＴ１をＬレベルからＨレベルに切り替える。これにより、発振回路１１２からＣＰＵ１１３にクロック信号ＣＬＫが供給される。クロック信号ＣＬＫが供給されるとＣＰＵ１１３は動作を開始する。
【００４０】
動作を開始したＣＰＵ１１３は、ＲＡＭ１１５の初期化を行う。これは、電源投入時にはＲＡＭ１１５の内容が不定になるためである。初期化は、図４に示すような手順で行われる。以下、図４を参照して初期化の処理の流れを説明する。
【００４１】
まず、ステップＳＴ４１において、ポートＡがＨレベルであるか否かが判断される。電源投入時ｔ１から期間Ｔｄ（第２の期間）が経過するまでは判定信号ＪＳはＬレベルである。ここでは、電源投入時ｔ１から期間Ｔｄが経過する前であるため反転信号ＪＳはＬレベルである。したがって、ポートＡはＬレベルである。よって、ステップＳＴ４３に進み、Ｘの値を００００に設定する。
【００４２】
次いで、ステップＳＴ４４において、ＲＡＭ１１５のＸ番地〜ＥＮＤ番地の領域の内容を初期化する。ここでは、ＲＡＭ１１５の００００番地〜ＥＮＤ番地の領域、すなわちすべての領域のデータをクリア（初期化）して初期化する。以上で初期化の処理を終了する。以下、ふたたび図３を参照して説明する。
【００４３】
初期化が終了すると、ＣＰＵ１１３は、時刻ｔ３までの期間Ｔｃの間、センサ２００からの異常検知信号ＤＴの有無を確認する処理、センサ２００によって検出されたデータをＲＡＭ１１５に書き込む処理などを行う。また、ＣＰＵ１１３は、動作中、周期的にクリアパルス信号ＣＬＰを出力する処理を行う。リセット信号発生回路１２０は、このクリアパルス信号ＣＬＰを受ける。なお、期間Ｔｃとしては所望の値を設定することができるが、例えば、ＣＰＵ１１３がメインルーティンの処理を１回行う時間として設定することができる。
【００４４】
時刻ｔ２から時刻ｔ３までの期間Ｔｃの間にセンサ２００から異常検知信号ＤＴが出力されないと、ＣＰＵ１１３は、停止信号ＳＴＰを制御信号発生回路１１１に出力する。停止信号ＳＴＰに応答して、制御信号発生回路１１１は制御信号ＣＴ１をＨレベルからＬレベルに切り替える。これにより、発振回路１１２からＣＰＵ１１３へのクロック信号ＣＬＫの供給が停止する。クロック信号ＣＬＫの供給が停止するとＣＰＵ１１３は動作を停止する。ＣＰＵ１１３の動作の停止に伴い、クリアパルス信号ＣＬＰの出力も停止する。
【００４５】
（２）正常時（異常が発生しないとき）
時刻ｔ３においてクリアパルス信号ＣＬＰの出力が停止してから期間Ｔａ（第１の期間）が経過すると、すなわち、期間Ｔａの間クリアパルス信号ＣＬＰを受けないと、リセット信号発生回路１２０は、所定期間（ｔ４〜ｔ５）Ｌレベルとなるリセット信号／ＲＳＴを出力する。なお、期間Ｔａとしては、実際にＣＰＵ１１３が暴走した場合に、暴走を許容することが可能な時間を設定することが望ましい。
【００４６】
時刻ｔ５におけるリセット信号／ＲＳＴの立ち上がりに応答して、制御信号発生回路１１１は制御信号ＣＴ１をＬレベルからＨレベルに切り替える。これにより、発振回路１１２からＣＰＵ１１３にクロック信号ＣＬＫが供給される。クロック信号ＣＬＫが供給されるとＣＰＵ１１３は動作を開始する。
【００４７】
動作を開始したＣＰＵ１１３は、ＲＡＭ１１５の初期化を行う。ふたたび図４を参照して初期化の処理の流れを説明する。
【００４８】
まず、ステップＳＴ４１において、ポートＡがＨレベルであるか否かが判断される。ここでは、電源投入時ｔ１からすでに期間Ｔｄ（第２の期間）が経過しているため反転信号ＪＳはＨレベルである。したがって、ポートＡはＨレベルである。よって、ステップＳＴ４２に進み、Ｘの値を０１００に設定する。
【００４９】
次いで、ステップＳＴ４４において、ＲＡＭ１１５のＸ番地〜ＥＮＤ番地の領域の内容を初期化する。ここでは、ＲＡＭ１１５の０１００番地〜ＥＮＤ番地の領域の領域のデータをクリア（初期化）する。したがって、００００番地〜０１００番地の領域に記憶された履歴情報は初期化されずに保持される。
【００５０】
以下、ふたたび図３を参照して説明する。
【００５１】
初期化が終了すると、ＣＰＵ１１３は、時刻ｔ５から時刻ｔ６までの期間Ｔｃの間、センサ２００からの異常検知信号ＤＴの有無を確認する処理、センサ２００によって検出されたデータをＲＡＭ１１５に書き込む処理などを行う。また、ＣＰＵ１１３は、動作中、周期的にクリアパルス信号ＣＬＰを出力する処理を行う。リセット信号発生回路１２０は、このクリアパルス信号ＣＬＰを受ける。
【００５２】
時刻ｔ５から時刻ｔ６までの期間Ｔｃの間にセンサ２００から異常検知信号ＤＴが出力されないと、ＣＰＵ１１３は、停止信号ＳＴＰを制御信号発生回路１１１に出力する。停止信号ＳＴＰに応答して、制御信号発生回路１１１は制御信号ＣＴ１をＨレベルからＬレベルに切り替える。これにより、発振回路１１２からＣＰＵ１１３へのクロック信号ＣＬＫの供給が停止する。クロック信号ＣＬＫの供給が停止するとＣＰＵ１１３は動作を停止する。ＣＰＵ１１３の動作の停止に伴い、クリアパルス信号ＣＬＰの出力も停止する。
【００５３】
以下、上述したのと同様にして、期間Ｔｃの間ＣＰＵ１１３は動作し、その後の期間Ｔａの間ＣＰＵ１１３は動作を停止する、ということを繰り返す。
【００５４】
このように、図１に示した車両用盗難警報システムにおいては、ＣＰＵ１１３は、常時動作しているのではなく、期間Ｔａの間、停止する。これにより、消費電力を低減することができる。
【００５５】
（２）異常が発生したとき
時刻ｔ７におけるリセット信号／ＲＳＴの立ち上がりに応答して、ＣＰＵ１１３は動作を開始し、ＲＡＭ１１５の初期化を行う。ここでも、電源投入時ｔ１からすでに期間Ｔｄ（第２の期間）が経過しているため反転信号ＪＳはＨレベルである。したがって、ここでの初期化は、時刻ｔ５において説明したのと同様に、ＲＡＭ１１５の０１００番地〜ＥＮＤ番地の領域に対して行う。
【００５６】
初期化が終了すると、ＣＰＵ１１３は、センサ２００からの異常検知信号ＤＴの有無を確認する処理などを行う。ここまでのＣＰＵ１１３における処理の流れは、時刻ｔ５において説明したのと同様である。
【００５７】
時刻ｔ７から期間Ｔｃが経過する前の時刻ｔ８において、車室内への侵入者などの異常を検知すると、センサ２００は、異常検知信号ＤＴを出力する。
【００５８】
ＣＰＵ１１３は、ＲＡＭ１１５に記憶された履歴情報を参照して、この異常検知信号ＤＴに対して警報発生指示信号ＣＴ２を出力するか否かを判断する。これにより、異常の検知の精度を高めることができる。
【００５９】
例えば、車両を叩いたり破壊したりする際の音をセンサ２００で検知して侵入者の有無を判断するようなシステムでは、ＲＡＭ１１５に記憶されたセンサ２００の反応の履歴を参照して、短時間に何回もセンサ２００が反応しているときには、この反応は侵入者によるものではなく、近くを通る電車などによるものであると判断する。そして、この場合には、警報発生指示信号ＣＴ２を出力しない。
【００６０】
警報発生指示信号ＣＴ２を出力すると判断した場合には、ＣＰＵ１１３は、警報発生指示信号ＣＴ２を警報発生装置３００に出力する処理を行う（すなわち、正常時のようにＣＰＵ１１３を停止させない）。
【００６１】
警報発生指示信号ＣＴ２に応答して、警報発生装置３００は、期間Ｔｂの間クラクションを鳴らしたり、ライトを点灯させたりすることによって警報を発生する。上述の予備警報装置を介在させる場合には、例えば、警報発生指示信号ＣＴ２により先ず予備警報装置を動作させて何らかの軽微な警報を発生させ、一定期間警報体制が継続したあとにクラクションを鳴らす等の本警報を発生させるよう構成することができる。
【００６２】
そして、警報を発生した時刻、時間などの情報をＲＡＭ１１５の００００番地〜０１００番地の領域に記憶する。これにより、いつ警報が発生したか、何回警報が発生したかなどの情報をシステムの利用者に知らせることができる。
【００６３】
期間Ｔｂが経過すると、時刻ｔ９において、ＣＰＵ１１３は、停止信号ＳＴＰを制御信号発生回路１１１に出力する。停止信号ＳＴＰに応答して、ＣＰＵ１１３は動作を停止する。ＣＰＵ１１３の動作の停止に伴い、クリアパルス信号ＣＬＰの出力も停止する。ＣＰＵ１１３が動作を停止するまでの処理の流れは、時刻ｔ６において説明したのと同様である。
【００６４】
この車両用盗難警報システムでは、警報発生装置３００による警報発生処理が行われている期間Ｔｂも、ＣＰＵ１１３はクリアパルス信号ＣＬＰを出力する処理を行っている。したがって、警報発生処理が行われている期間ＴｂにＣＰＵ１１３が暴走することによって警報が止まらなくなるという問題を防ぐことができる。これによりＣＰＵ１１３の信頼性を確保することができる。
【００６５】
以上のように、この発明の実施の形態による車両用盗難警報システムでは、ＣＰＵ１１３は、期間Ｔａの間停止するため、消費電力を低減することができる。
【００６６】
また、判別信号発生回路１１６からの判別信号ＪＳがＨレベルのときはＲＡＭ１１５に記憶された履歴情報以外の内容を初期化する、すなわち、履歴情報が保持されるため、異常の検知の精度を高めることができる。
【００６７】
また、履歴情報が保持されるため、いつ警報が発生したか、何回警報が発生したかなどの情報をシステムの利用者に知らせることができ、システムの商品価値を高めることができる。
【００６８】
【発明の効果】
この発明の１つの局面に従った盗難警報装置では、ＣＰＵは、判別手段からの判別信号が活性のときはＲＡＭに記憶された履歴情報以外の内容を初期化するため、ＲＡＭに記憶された履歴情報を利用してその後の処理を行うことができる。
【００６９】
また、第１の期間ＣＰＵは動作を停止するため、消費電力を低減することができる。
【００７０】
また、履歴情報は、センサの状態の履歴を示すものであるため、異常の検知（例えば、侵入者の有無の判断など）の精度を高めることができる。
【００７１】
また、履歴情報は、警報発生手段が発生した警報の履歴を示すものであるため、いつ警報が発生したか、何回警報が発生したか、などの情報を利用者に知らせることができる。これにより、盗難警報装置の商品価値を高めることができる
この発明のもう１つの局面に従った盗難警報システムでは、ＣＰＵは、判別手段からの判別信号が活性のときはＲＡＭに記憶された履歴情報以外の内容を初期化するため、ＲＡＭに記憶された履歴情報を利用してその後の処理を行うことができる。
【図面の簡単な説明】
【図１】この発明の実施の形態による盗難警報システムの全体構成を示すブロック図である。
【図２】図１に示したＲＡＭのアドレスマップである。
【図３】図１に示した盗難警報システムの動作を説明するためのタイミングチャートである。
【図４】ＲＡＭの初期化の手順を示すフローチャートである。
【符号の説明】
１００  コントロールユニット
２００  センサ
３００  警報発生装置
１１３  ＣＰＵ
１２０  リセット信号発生回路
１１５  ＲＡＭ
１１６  判別信号発生回路
Ｒ１  抵抗
Ｃ１  キャパシタ
ＣＬＰ  クリアパルス信号
／ＲＳＴ  リセット信号
ＪＳ  判別信号
【図１】
0003630618.tif 000002
【図２】
0003630618.tif 000003
【図３】
0003630618.tif 000004
【図４】
0003630618.tif 000005